(57)【要約】      （修正有）【課題】使用環境として、水道水使用可能及び電源使用可能の場合、水道水使用不可で電源使用可能の場合、水道水及び電源とも使用不可の場合のいずれも場合にも使用することができ、安全安心な飲料水に変えることができる浄水装置を提供する。【解決手段】原水４０を取水する取水部２と、原水４０を浄水する浄水部３を備えた浄水装置１であって、取水部２は、第一の取水部形態として、圧力スイッチ１０又は手動スイッチ１１ＯＮにより駆動し原水４０を浄水部３へ送水するポンプ１２とを備える自動取水部２ａ、又は、第二の取水部形態として、原水を加圧する手動式シリンダーを備える手動取水部から構成され、浄水部３は、セディメントフィルター４と、逆浸透膜浄水器５と、ポストカーボンフィルター６と、逆浸透膜浄水器５の下流側であって濃縮水の流路に設けた流量調整弁７とを備えた。【選択図】図２
0003200676.tif 000002
【実用新案登録請求の範囲】
【請求項１】
水道水、井戸水、風呂水、河川水などの原水を取水する取水部と、前記原水を浄水する浄水部を備えた浄水装置であって、
前記取水部は、
第一の取水部形態として、原水取水口と、電源接続部と、前記電源接続部及び前記原水取水口の下流側に配設した、前記原水の流動により生ずる圧力を検知してＯＮ−ＯＦＦ制御する圧力スイッチと、前記圧力スイッチと並列回路で配設した、手動操作によりＯＮ−ＯＦＦ制御する手動スイッチと、前記圧力スイッチ又は手動スイッチのＯＮにより駆動し原水を浄水部へ送水するポンプとを備える自動取水部、又は、
第二の取水部形態として、原水取水口と、前記原水取水口からの原水を加圧する手動式シリンダーと、前記手動式シリンダーの上流側直前に配設され前記手動式シリンダー側からの逆流を阻止する第一逆止弁と、前記手動式シリンダーの下流側直後に配設され前記手動式シリンダー側からの加圧水を通過させる第二逆止弁と備える手動取水部から構成され、
前記浄水部は、
前記取水部からの加圧された原水を前記浄水部に注入する給水口、前記給水口の下流側に配設されたセディメントフィルターと、前記セディメントフィルターの下流側に配設され原水を透過水と濃縮水とに分離する逆浸透膜浄水器と、前記逆浸透膜浄水器の下流側であって逆浸透膜を透過した前記透過水をろ過するポストカーボンフィルターと、前記逆浸透膜浄水器の下流側であって前記濃縮水の流路に設けた流量調整弁とを備え、
前記逆浸透膜浄水器内を流動する濃縮水に対する圧力を調整するための流量を前記流量調整弁で調整することにより、前記逆浸透膜からの透過水量を調整可能とし、
第一の使用形態として、水道水及び電源とも使用可能の場合には、前記自動取水部の原水取水口を水道の蛇口に接続し原水として水道水を使用可能にでき、
第二の使用形態として、水道水使用不可で電源使用可能の場合には、前記自動取水部の原水取水口にストレーナを取り付けて前記ストレーナを原水に浸漬してストレーナでろ過した原水を使用可能にでき、
又は、第三の使用形態として、水道水及び電源とも使用不可の場合には、前記手動取水部の原水取水口にストレーナを取り付けて前記ストレーナを原水に浸漬してストレーナでろ過した原水を使用可能にできることを特徴とする浄水装置。
【請求項２】
前記セディメントフィルターの下流側と前記逆浸透膜浄水器との間にプリカーボンフィルターを介設させたことを特徴とする請求項１に記載の浄水装置。
【考案の詳細な説明】
【技術分野】
【０００１】
本考案は、水道水、井戸水、風呂水、河川等の原水を逆浸透膜で水成分のみの透過水を透過させて殺菌や臭気を除去した飲料水にする浄水装置に関するものである。
【背景技術】
【０００２】
浄水装置としては、特許文献１に、貯水槽へ受けた原水を加圧手段により逆浸透膜分離器へ送液して、逆浸透膜の非透過濃縮側の濃縮液と該逆浸透膜を透過した透過水とに分離する浄水器において、原水の貯留槽と、該貯留槽内に加圧手段として手動式ポンプと、分離手段として逆浸透膜分離器と、濃縮水を前記貯留槽に戻す吐出口とを具備する手動式逆浸透膜浄水器の技術が開示されている。
【０００３】
また、特許文献２に、取水した海水をろ過するろ過手段と、前記ろ過手段でろ過した海水を加圧送水する加圧手段と、前記加圧手段で加圧された海水を逆浸透膜法により処理する逆浸透膜処理手段と、を有する海水淡水化装置であって、前記加圧手段として、ポンプ用モータとして磁束ベクトル制御可能なインバーターを使用し回転速度を２０分の１から１．５倍までモータの基本トルクを保持しながら圧力送水が可能な一つのプランジャポンプが用いられる海水淡水化装置が開示されている。
【先行技術文献】
【特許文献】
【０００４】
【特許文献１】特開平８−２４３３５７号公報
【特許文献２】特開２００９−２２６４０７号公報
【考案の概要】
【考案が解決しようとする課題】
【０００５】
しかし、特許文献１に記載の技術は、原水をフィルター等により濾過させずに逆浸透膜に直接に流入させているので、逆浸透膜が詰まりやすいという問題があった。
【０００６】
また、水道水からカルキ臭のない飲料水を得たい場合や水道水は得られないが電源が確保できる場合には、手動操作のみであり自動運転ができないため、通常時にも災害時にもどんな事態においても使用可能でなく、使用形態が手動操作しかないので不便であるという問題があった。
【０００７】
また、特許文献２に記載の技術は、加圧手段にモータを使用しているため、電源を確保できない場所では使用できないという問題があった。したがって、通常は電源設備があるが災害等で電源設備が破壊され使用不可になったときや、上水道設備がない地域であって電源設備がない地域においては、安全安心な飲料水を必要としているのに浄水装置を作動させることができないという問題があった。
【０００８】
本考案はこうした問題に鑑み創案されたもので、使用環境として、水道水使用可能及び電源使用可能の場合、水道水使用不可で電源使用可能の場合、水道水及び電源とも使用不可の場合のいずれも場合にも使用することができ、安全安心な飲料水を得ることができる浄水装置を提供することを課題とする。
【課題を解決するための手段】
【０００９】
請求項１に記載の本考案の浄水装置１は、水道水、井戸水、風呂水、河川水などの原水４０を取水する取水部２と、前記原水４０を浄水する浄水部３を備えた浄水装置１であって、前記取水部２は、第一の取水部形態として、原水取水口１３と、電源接続部２２と、前記電源接続部２２及び前記原水取水口１３の下流側に配設した、前記原水４０の流動により生ずる圧力を検知してＯＮ−ＯＦＦ制御する圧力スイッチ１０と、前記圧力スイッチ１０と並列回路で配設した、手動操作によりＯＮ−ＯＦＦ制御する手動スイッチ１１と、前記圧力スイッチ１０又は手動スイッチ１１のＯＮにより駆動し原水を浄水部３へ送水するポンプ１２とを備える自動取水部２ａ、又は、第二の取水部形態として、原水取水口１３と、前記原水取水口か１３らの原水を加圧する手動式シリンダー１４と、前記手動式シリンダー１４の上流側直前に配設され前記手動式シリンダー１４側からの逆流を阻止する第一逆止弁１５と、前記手動式シリンダー１４の下流側直後に配設され前記手動式シリンダー１４側からの加圧水を通過させる第二逆止弁１６と備える手動取水部２ｂから構成され、前記浄水部３は、前記取水部２からの加圧された原水を前記浄水部３に注入する給水口９、前記給水口９の下流側に配設されたセディメントフィルター４と、前記セディメントフィルター４の下流側に配設され原水を透過水と濃縮水とに分離する逆浸透膜浄水器５と、前記逆浸透膜浄水器５の下流側であって逆浸透膜を透過した前記透過水をろ過するポストカーボンフィルター６と、前記逆浸透膜浄水器５の下流側であって前記濃縮水の流路に設けた流量調整弁７とを備え、前記逆浸透膜浄水器５内を流動する濃縮水に対する圧力を調整するための流量を前記流量調整弁７で調整することにより、前記逆浸透膜からの透過水量を調整可能とし、第一の使用形態として、水道水及び電源２０とも使用可能の場合には、前記自動取水部２ａの原水取水口１３を水道の蛇口２１に接続し原水４０として水道水を使用可能にでき、第二の使用形態として、水道水使用不可で電源２０使用可能の場合には、前記自動取水部２ａの原水取水口１３にストレーナ１７を取り付けて前記ストレーナ１７を原水４０に浸漬してストレーナ１７でろ過した原水４０を使用可能にでき、又は、第三の使用形態として、水道水及び電源２０とも使用不可の場合には、前記手動取水部２ｂの原水取水口１３にストレーナ１７を取り付けて前記ストレーナ１７を原水４０に浸漬してストレーナ１７でろ過した原水４０を使用可能にできることを特徴とする。
【００１０】
請求項２に記載の浄水装置１は、請求項１において、前記セディメントフィルター４の下流側と前記逆浸透膜浄水器５との間にプリカーボンフィルター８を介設させたことを特徴とする。
【考案の効果】
【００１１】
請求項１に記載の浄水装置１の考案は、水道水を殺菌させておいしい飲料水を得たい場合には自動取水部２ａの原水取水口１３を水道の蛇口２１に接続することにより可能になり、災害発生で電源２０確保はできるが水道水確保ができないが安全な飲料水を得たい場合には自動取水部２ａの原水取水口１３にストレーナ１７を取り付けて前記ストレーナ１７を井戸水や風呂水などに浸漬させることにより可能になり、災害発生で電源２０及び水道水確保ができないが安全な飲料水を得たい場合には手動取水部２ｂの原水取水口１３にストレーナ１７を取り付けて前記ストレーナ１７を井戸水、風呂水又は河川水などに浸漬させることにより可能になる。このように、１台の浄水装置１で、水道水及び電源２０が確保できる通常時であっても、水道水は確保できないが電源２０が確保できる災害時であっても、水道水及び電源２０が確保できない災害時であっても、電源２０が確保できない地域であっても、水道水が確保できない地域であっても、安全なおいしい飲料水を得ることができる。
【００１２】
逆浸透膜浄水器５内の上流側から排出される濃縮水の流路に流量調整弁７を設けたので、前記逆浸透膜浄水器５内の逆浸透膜の上流側の原水に対する圧力を調整することができ、例えば前記流量調整弁７を絞れば逆浸透膜浄水器５内の逆浸透膜の上流側の原水に対する圧力を高くすることができ、前記逆浸透膜に原水中の水分子を透過させて透過水を得ることができる。原水を逆浸透膜に透過させるには高い圧力が必要になるので、ポンプ１２による圧力又は手動式シリンダー１４の圧力に加えて、流量調整弁７を絞ることによる圧力増加によって、原水中の水分子を、前記逆浸透膜浄水器５内の逆浸透膜に透過させてより多くの水量の透過水を得ることができる。
【００１３】
手動式シリンダー１４の前後に逆流防止の逆止弁１５、１６を設けたので、該手動式シリンダー１４で汲水した原水４０の量をすべて下流側に送水させるという効果を奏する。
【００１４】
逆浸透膜浄水器５及びプリカーボンフィルター８により、水道水、井戸水、風呂水や河川水に含まれている、塩素、カルキ臭、一般細菌、クリプト原虫、ヒ素、硝酸性窒素、トリハロメタン、農薬、インフルエンザウイルス、大腸菌、銀、鉛、水銀、環境ホルモン、放射性物質を除去することができる。
【００１５】
手動式シリンダー１４のボア径を一定とした場合の一般的に取り付けるホース又は配管の内径の大きさよりもさらに大きい内径を有するホース又は配管を取り付けることにより、手動式シリンダー１４のハンドル１８を押し下げるのに必要な力を３ｋｇ／ｃｍ２以下にすることができる。これにより、ハンドル１８操作を軽くでき長時間の使用にも腕が疲れにくいという効果を奏する。
【００１６】
請求項２に記載の浄水装置は、セディメントフィルタ４ーの下流側と前記逆浸透膜浄水器５との間にプリカーボンフィルター８を介設させ、セディメントフィルター４として孔径３〜１０μｍのフィルターを具備し、さらに前記セディメントフィルター４の孔径よりも小さい孔径０．５〜２μｍのフィルターを具備する前記プリカーボンフィルター８を配設するという、２段階でフィルターの孔径を小さくしたので、フィルターが目詰まりしにくくなり、かつ原水中に浮遊する極小の物質を除去することができる。
【図面の簡単な説明】
【００１７】
【図１】本考案の水道水を使用する形態の浄水装置の構成を示す説明図である。
【図２】本考案の水道水以外の井戸水や風呂水等の原水を使用する形態の浄水装置の構成を示す説明図である。
【図３】本考案の手動ピストン使用時の形態の浄水装置の構成を示す説明図である。
【図４】本考案のプリカーボンフィルターを使用する形態の浄水装置の構成を示す説明図である。
【図５】浄水部の構成要素を示す説明図であり、（ａ）がプリカーボンフィルターを具備しない形態の説明図で、（ｂ）がプリカーボンフィルターを具備した形態の説明図である。
【図６】取水部の構成要素を示す説明図であり、（ａ）が自動取水部の形態の説明図で、（ｂ）が手動取水部の形態の説明図である。
【図７】自動取水部のスイッチのＯＮ状態の説明図であり、（ａ）が圧力スイッチのＯＮ状態を示す説明図で、（ｂ）は手動スイッチのＯＮ状態を示す説明図である。
【考案を実施するための形態】
【００１８】
本考案に係る浄水装置１は、図１乃至図４に示すように、水道水、井戸水、風呂水、河川水などの原水４０を取水する取水部２と、前記原水４０を浄水する浄水部３を備えた浄水装置１であって、前記取水部２は、第一の取水部形態として、原水取水口１３と、電源接続部２２と、前記電源接続部２２及び前記原水取水口１３の下流側に配設した、前記原水４０の流動により生ずる圧力を検知してＯＮ−ＯＦＦ制御する圧力スイッチ１０と、前記圧力スイッチ１０と並列回路で配設した、手動操作によりＯＮ−ＯＦＦ制御する手動スイッチ１１と、前記圧力スイッチ１０又は手動スイッチ１１のＯＮにより駆動し原水４０を浄水部３へ送水するポンプ１２とを備える自動取水部２ａ、又は、第二の取水部形態として、原水取水口１３と、前記原水取水口か１３らの原水４０を加圧する手動式シリンダー１４と、前記手動式シリンダー１４の上流側直前に配設され前記手動式シリンダー１４側からの逆流を阻止する第一逆止弁１５と、前記手動式シリンダー１４の下流側直後に配設され前記手動式シリンダー１４側からの加圧水を通過させる第二逆止弁１６と備える手動取水部２ｂから構成され、前記浄水部３は、前記取水部２からの加圧された原水４０を前記浄水部３に注入する給水口９、前記給水口９の下流側に配設されたセディメントフィルター４と、前記セディメントフィルター４の下流側に配設され原水４０を透過水と濃縮水とに分離する逆浸透膜浄水器５と、前記逆浸透膜浄水器５の下流側であって逆浸透膜を透過した前記透過水をろ過するポストカーボンフィルター６と、前記逆浸透膜浄水器５の下流側であって前記濃縮水の流路に設けた流量調整弁７とを備え、前記逆浸透膜浄水器５内を流動する濃縮水に対する圧力を調整するための流量を前記流量調整弁７で調整することにより、前記逆浸透膜からの透過水量を調整可能とし、第一の使用形態として、水道水及び電源２０とも使用可能の場合には、前記自動取水部２ａの原水取水口１３を水道の蛇口２１に接続し原水として水道水を使用可能にでき、第二の使用形態として、水道水使用不可で電源２０使用可能の場合には、前記自動取水部２ａの原水取水口１３にストレーナ１７を取り付けて前記ストレーナ１７を原水に浸漬してストレーナ１７でろ過した原水を使用可能にでき、又は、第三の使用形態として、水道水及び電源２０とも使用不可の場合には、前記手動取水部２ｂの原水取水口１３にストレーナ１７を取り付けて前記ストレーナ１７を原水に浸漬してストレーナ１７でろ過した原水を使用可能にできる。
【００１９】
そして、図４や図５（ｂ）に示すように、前記セディメントフィルター４の下流側と前記逆浸透膜浄水器５との間にプリカーボンフィルター８を介設させる形態もある。
【００２０】
浄水装置１の構成要素について以下に説明する。
【００２１】
取水部２について説明する。取水する原水４０としては、水道水、風呂水、井戸水、河川水などの水を対象とする。そして、使用環境として、水道水使用可能及び電源２０使用可能の場合、水道水使用不可で電源２０使用可能の場合、水道水及び電源２０とも使用不可の場合のいずれも場合にも、本考案の１台の浄水装置１で対応することができる。電源２０としては交流電源を対象とする。
【００２２】
第一の取水部２の形態は、図１、図２及び図６（ａ）に示すように、電源が使用できる自動取水部２ａである。自動取水部２ａは、原水取水口１３と、電源接続部２２と、原水４０を浄水部３へ送水するポンプ１２とを備えている。前記電源接続部２２及び前記原水取水口１３の下流側に配設した、前記原水４０の流動により生ずる圧力を検知してＯＮ−ＯＦＦ制御する圧力スイッチ１０と、スイッチをＯＮできる原水４０の流動がない場合に手動操作によりＯＮ−ＯＦＦ制御する手動スイッチ１１とを並列回路で配設している。前記圧力スイッチ１０のＯＮ信号又は手動スイッチ１１のＯＮ信号によりポンプ１２は駆動し原水４０を浄水部３に送水する。原水４０として水道水を使用する場合は圧力スイッチ１０で、原水４０として井戸水や風呂水を使用する場合は手動スイッチ１１でポンプ１２を駆動させるＯＮ信号を送る。自動取水部２ａは、図１、図２及び図６（ａ）に示すように筐体５０内に収容できる。
【００２３】
水道水使用可能及び電源２０使用可能の場合は、電源接続部２２を交流電源２０に接続し、原水取水口１３を水道蛇口２１に接続させて水道水を流動させると、該水道水の流動により圧力スイッチ１０がＯＮになり、これによりポンプ１２が駆動し原水４０である水道水を浄水部３に加圧送水する。
【００２４】
また、水道水使用不可で電源２０使用可能の場合は、電源接続部２２を交流電源２０に接続し、原水取水口１３の上流側にストレーナ１７を接続し、該ストレーナ１７を井戸水や風呂水に浸漬させる。浸漬させただけでは井戸水や風呂水が流動しないので、圧力スイッチ１０がＯＮにならない。このため、手動スイッチ１１をＯＮさせてポンプ１２を駆動させて井戸水や風呂水を汲水する形態で井戸水や風呂水などの原水４０を取水し浄水部３に加圧送水する。
【００２５】
次に、第二の取水部２の形態は、図３、図４及び図６（ｂ）に示すように、電源２０が使用できない場合に有効な手動取水部２ｂである。手動取水部２ｂは、原水取水口１３と、前記原水取水口１３からの原水４０を加圧する手動式シリンダー１４と、前記手動式シリンダー１４の上流側直前に配設され前記手動式シリンダー１４側からの逆流を阻止する第一逆止弁１５と、前記手動式シリンダー１４の下流側直後に配設され前記手動式シリンダー１４側からの加圧水を通過させて逆流させない第二逆止弁１６と備えている。手動取水部２ｂは、図３、図４及び図６（ｂ）に示すように筐体５０内にはハンドル１８などを具備するため筐体５０内に収容できない。
【００２６】
水道水及び電源２０とも使用不可の場合であることから、原水取水口１３にホースや配管を接続させて、該ホースや配管の先端開口部を井戸水、風呂水や河川水の水中に浸漬する。そして、手動式シリンダー１４のハンドル１８を上下動させて原水４０を汲み上げ、浄水部３に加圧送水する。
【００２７】
ストレーナ１７について説明する。該ストレーナ１７は、図２、図３及び図４に示すように、浄水装置１の原水４０を汲水するホース又は配管の先端にある開口部に設けられ、該ストレーナ１７によって粗ゴミの侵入を排除する。該ストレーナ１７の孔径は０．０１〜１ｍｍとし、該ストレーナ１７の材質は金属、ステンレス等の非金属、合成樹脂などからなる。
【００２８】
次に、逆止弁１５、１６について説明する。逆止１５、１６弁は図３、図４及び図６（ｂ）に示すように、手動式シリンダー１４の上流側及び下流側にそれぞれ配設され、手動式シリンダー１４の上流側に配設された第一逆止弁１５は汲水した原水４０を逆流させないようにし、手動式シリンダー１４の下流側に配設された第二逆止弁１６は手動式シリンダー１４から加圧送水された原水４０を逆流させないようにする作用を有する。
【００２９】
次に、手動式シリンダー１４について説明する。構成要素として往復作動するピストンや該ピストンを往復動させるハンドル１８を有し、該手動式シリンダー１４の大きさは１往復当りの原水４０の送出量やピストンのシフト量等から決め、例えば、手動式シリンダー１４のピストンの１往復による１回当りの水量を６０ｃｃとし、ピストンのボア径を３２ｍｍと設定する。
【００３０】
次に、ホース又は配管について説明する。前記ホース又は配管の内径は一般的な内径の大きさよりも大きくする。例えば、通常は１／８インチのホース又は配管を取り付けるところを３／８インチのホース又は配管を取り付けることによって、ホース内又は配管内の管抵抗を大きく低減させることができ、これにより軽く容易にハンドル１８を押し下げることができる。
【００３１】
次に、圧力スイッチ１０について説明する。圧力スイッチ１０は、図７（ａ）に示すように、原水４０が流動してきてその圧力によりスイッチがＯＮになり、このＯＮ信号でポンプを駆動させる。そのため、水道水のように使用現場で汲水努力をしなくても原水４０が流動してくる場合に圧力スイッチ１０を使用する。しかし、井戸水や風呂水のように使用現場で汲水努力をしなかったら原水４０が流動してこない場合には圧力スイッチ１０は使用できない。
【００３２】
次に、手動スイッチ１１について説明する。手動スイッチ１１は、図７（ｂ）に示すように、前記圧力スイッチ１０と並列回路を構成しており、圧力スイッチ１０が使用できない場合の代替え手段である。水道水が使用できない場合には、井戸水や風呂水を使用するが、この場合に手動スイッチ１１を使用する。手動スイッチ１１をＯＮさせると、このＯＮ信号によりポンプ１２が駆動し、井戸水や風呂水を汲水し、浄水部３へ加圧送水する。
【００３３】
次に、浄水部３について説明する。浄水部３は、図５（ａ）及び（ｂ）に示すように、前記取水部２からの加圧された原水４０を前記浄水部３に注入する給水口９、前記給水口９の下流側に配設されたセディメントフィルター４と、前記セディメントフィルター４の下流側に配設され原水を透過水と濃縮水とに分離する逆浸透膜浄水器５と、前記逆浸透膜浄水器５の下流側であって逆浸透膜を透過した前記透過水をろ過するポストカーボンフィルター６と、前記逆浸透膜浄水器５の下流側であって前記濃縮水の流路に設けた流量調整弁７とを備えている。さらに、図７（ｂ）に示すように、前記セディメントフィルター４の下流側と前記逆浸透膜浄水器５との間にプリカーボンフィルター８を介設させる形態もある。浄水部３は、図１乃至図５に示すように筐体５０内に収納でき、更に図１及び図２に示すように自動取水部２ａも筐体５０内に収容できる。
【００３４】
次に、セディメントフィルター４について説明する。セディメントフィルター４は手動式シリンダー１４の下流側に配設され、ストレーナ１７で粗ゴミを含有させないようにした原水４０中に浮遊する物質を濾過する。セディメントフィルター４は孔径が３〜１０μｍのフィルターを使用し、例えば５μｍのものを使用した場合は、原水４０中に含まれる５μｍ以上の大きさの不純物である、塵や砂等の不純物を取り除く作用を有する。
【００３５】
次に、プリカーボンフィルター８について説明する。プリカーボンフィルター８はセディメントフィルター４の下流側に配設され、前記セディメントフィルター４で第一段階目の濾過をした原水を、さらに細かい孔径を有するプリカーボンフィルター８で二段階目の濾過をするという２段階の濾過構造を構成する。２段階の濾過構造とすることによって、孔径の小さいフィルターの目詰まりを抑制できる。原水４０が水道水のように原水４０中に浮遊物がほとんどない場合にはプリカーボンフィルター８を設けなくてよい。
【００３６】
プリカーボンフィルター８の孔径は０．５〜２μｍのフィルターを使用し、例えばプリカーボンフィルター８が孔径１μｍのものを使用した場合は、原水中に含まれる１μｍ以上の大きさの不純物である、塵や砂等の不純物を取り除く作用を有する。そして、プリカーボンフィルター８は活性炭を使用しており、活性炭の作用を利用して、微細な有機物、無機物、塩素、臭気などを除去する作用を有する。
【００３７】
次に、逆浸透膜浄水器５について説明する。逆浸透膜浄水器５は、セディメントフィルター４の下流側に、又は、プリカーボンフィルター８を備える場合はプリカーボンフィルター８の下流側に配設され、逆浸透膜浄水器５内の逆浸透膜の上流側に充満している原水に対して圧力をかけることにより、原水中の水成分が逆浸透膜を透過して得られる透過水と、原水中の成分で逆浸透膜を透過できない物質を含有する濃縮水とに分離する。逆浸透膜の孔径は１〜２ナノメートルであり、該孔径よりも小さい大きさを有する水の分子のみを透過させた安全安心な透過水と、該孔径よりも大きい大きさを有するために透過できない物質からなる濃縮水とに分離する。前記透過水を安全安心な飲料水にすることができる。
【００３８】
逆浸透膜により透過を阻止された濃縮水は、該濃縮水が排出される下流側であるホース又は配管に設けられた排水の流量調整弁７を通過して外部に排出され容器３１に収容される。ここで、濃縮水の排出側の圧力が低いと、逆浸透膜浄水器５内の逆浸透膜の上流側に充満している原水に加えられている圧力が原水の浸透圧より低くなって原水中の水の物質を透過させることができないので、原水から水の物質を透過させるために、原水に対して原水の浸透圧より圧力が高くなるように、前記流量調整弁７を絞る。したがって、前記流量調整弁７の調整によって、逆浸透膜浄水器５内の逆浸透膜の上流側に充満している原水に対する圧力を調整することができる。
【００３９】
次に、ポストカーボンフィルター６について説明する。ポストカーボンフィルター６は、逆浸透膜浄水器５から送出された透過水の下流側に配設され、活性炭を主成分としており、該活性炭がガス状の匂いの成分を含んだ透過水を美味しい水にする作用を有する。
【００４０】
前記ポストカーボンフィルター６を通過した水を容器３０に収容し、安全安心な飲料水として飲むことができる。
【００４１】
本考案の浄水装置１は、図１や図２に示すように、自動取水部２ａ及び浄水部３を一つの筐体５０に収納させることができる。前記筐体５０は小型であるので、緊急時に容易に運搬が可能である。
【００４２】
また、自動取水部２ａ及び浄水部３を一つの筐体５０に収納させた場合であっても手動取水部２ｂを接続させることができる。手動取水部２ｂは手動式ピストン１４を備えるために筐体５０内には収納できないが、自動取水部用２ａと手動取水部２ｂ用の入口側孔が２口で出口側孔が１口を形成する形態の給水口９を採用すれば、自動取水部２ａ及び浄水部３を収納した筐体５０の前記給水口９に、手動取水部２ｂのホース又は配管を接続させて使用することができる。
【符号の説明】
【００４３】
１          浄水装置
２          取水部
２ａ        自動取水部
２ｂ        手動取水部
３          浄水部
４          セディメントフィルター
５          逆浸透膜浄水器
６          ポストカーボンフィルター
７          流量調整弁
８          プリカーボンフィルター
９          給水口
１０        圧力スイッチ
１１        手動スイッチ
１２        ポンプ
１３        原水取水口
１４        手動式シリンダー
１５        逆止弁
１６        逆止弁
１７        ストレーナ
１８        ハンドル
２０        電源
２１        蛇口
２２        電源接続部
３０        容器
３１        容器
４０        原水
５０        筐体
【図１】
0003200676.tif 000003
【図２】
0003200676.tif 000004
【図３】
0003200676.tif 000005
【図４】
0003200676.tif 000006
【図５】
0003200676.tif 000007
【図６】
0003200676.tif 000008
【図７】
0003200676.tif 000009